(57)【要約】【課題】降雨時の雨滴のみならず、その微細な飛沫等の屋内への侵入をも効果的に防ぐことができる防雨ルーバーを提供すること。【解決課題】建物の開口部に取付け可能な枠体１と、枠体１の枠内に互いに上下方向に所定間隔をあけて並べられた複数の羽根体２と、枠体１の下部に設けられた排水部３とを備えた防雨ルーバー１０であって、複数の羽根体２同士の間に通気流路４が形成され、各通気流路４を、屋外から屋内へ向けて雨水の飛沫Ｍを運ぶ気流を上向きに流す外側流路４４と下向きに流す内側流路４５とから構成した。【選択図】図１
2010121274.tif 000002
【特許請求の範囲】
【請求項１】
建物の開口部に取付け可能な枠体と、該枠体の枠内に互いに上下方向に所定間隔をあけて並べられた複数の羽根体とを備え、該複数の羽根体同士の間に通気流路が形成された防雨ルーバーであって、
前記通気流路が、
屋外に臨んだ外側通気口とルーバー内の中間通気口との間に形成された外側流路と、
該中間通気口と屋内に臨んだ内側通気口との間に形成された内側流路と、
を備え、
前記外側流路は、
前記外側通気口が前記中間通気口よりも下方に位置し、かつ、該外側通気口及び該中間通気口のそれぞれの開口面積が該外側流路の中程部の横断面積よりも小さく形成され、
前記内側流路は、
前記内側通気口が前記中間通気口よりも下方に位置し、かつ、該内側通気口の開口面積が前記外側通気口の開口面積とほぼ同じに形成され、
前記枠体の下部に、前記内側流路で捕集した雨水を屋外へ排水する排水部が設けられていることを特徴とした防雨ルーバー。
【請求項２】
前記外側流路の外側通気口において前記羽根体の上面に、雨滴の衝突を緩衝する緩衝部が設けられている請求項１に記載の防雨ルーバー。
【請求項３】
前記緩衝部が、多数の立毛を有する立毛シート材から成る請求項２に記載の防雨ルーバー。
【請求項４】
前記羽根体が、透光性材料から成る請求項１〜３のいずれかに記載の防雨ルーバー。
【発明の詳細な説明】
【技術分野】
【０００１】
本発明は、雨水等の侵入を防ぎ、通気可能な建物用の防雨ルーバーに関する。
【背景技術】
【０００２】
現在までに、雨水等の侵入を防いで通気可能な建物用ルーバーが数多く提案されている（例えば、下記特許文献１、２参照）。
【０００３】
しかしながら、従来のルーバーは、屋外側へ傾斜した多数の羽根体によって、降雨時における屋内への雨滴の侵入は防ぐことができるものの、例えば雨滴がルーバーの羽根体に衝突した際に発生する微細な雨水の飛沫が、通気気流に乗って屋内へ侵入するのを防ぐことができない難点があった。
【特許文献１】実開昭５７−１２９４号公報
【特許文献２】実開平２−３９０９２号公報
【発明の開示】
【発明が解決しようとする課題】
【０００４】
本発明は、従来の建物用ルーバーに上記のような難点があったことに鑑みて為されたもので、降雨時の雨滴のみならず、その微細な飛沫等の屋内への侵入も効果的に防ぐことができる防雨ルーバーを提供することを課題とする。
【課題を解決するための手段】
【０００５】
本発明は、建物の開口部に取付け可能な枠体と、該枠体の枠内に互いに上下方向に所定間隔をあけて並べられた複数の羽根体とを備え、該複数の羽根体同士の間に通気流路が形成された防雨ルーバーであって、
前記通気流路が、屋外に臨んだ外側通気口とルーバー内の中間通気口との間に形成された外側流路と、該中間通気口と屋内に臨んだ内側通気口との間に形成された内側流路と、を備え、前記外側流路は、前記外側通気口が前記中間通気口よりも下方に位置し、かつ、該外側通気口及び該中間通気口のそれぞれの開口面積が該外側流路の中程部の横断面積よりも小さく形成され、前記内側流路は、前記内側通気口が前記中間通気口よりも下方に位置し、かつ、該内側通気口の開口面積が前記外側通気口の開口面積とほぼ同じに形成され、前記枠体の下部に、前記内側流路で捕集した雨水を屋外へ排水する排水部が設けられていることを特徴としている。
【０００６】
また、本発明は、前記外側流路の外側通気口において前記羽根体の上面に、雨滴の衝突を緩衝する緩衝部が設けられていることを特徴としている。
【０００７】
また、本発明は、前記緩衝部が、多数の立毛を有する立毛シート材から成ることを特徴としている。
【０００８】
また、本発明は、前記羽根体が、透光性材料から成ることを特徴としている。
【発明の効果】
【０００９】
本発明に係る防雨ルーバーは、通気流路が外側流路と内側流路とを備え、外側流路の外側通気口が、ルーバー内の中間通気口よりも下方に位置しているので、風雨時において雨滴が屋内に侵入するのを確実に防ぐことができる。
【００１０】
しかも、外側流路の外側通気口が中間通気口よりも下方に位置し、かつ、外側通気口の開口面積及び中間通気口のそれぞれの開口面積が外側流路の中程部の横断面積よりも小さく形成されているので、屋外から屋内へ向けて雨水の微細な飛沫を運ぶ気流は、外側流路を上向きに流れ、しかも、その流速が外側通気口から外側流路の中程部にかけて小さくなる。したがって、雨水の飛沫等を外側流路で捕集することができ、飛沫等の屋内への侵入を効果的に防ぐことができる。
【００１１】
さらに、内側流路の内側通気口が中間通気口よりも下方に位置し、かつ、内側通気口の開口面積が外側通気口の開口面積とほぼ同じに形成されているので、外側流路を通過してしまった飛沫も、内側流路を通過する途中でその流路内面に捕捉され、飛沫が屋内側へ侵入するのを効果的に防ぐことできる。
【００１２】
さらに、外側流路の外側通気口において羽根体の上面に緩衝部を設けた防雨ルーバーによれば、羽根板への雨滴衝突時の飛沫の発生を抑制することができ、より効果的に飛沫の侵入を防ぐことができる。
【発明を実施するための最良の形態】
【００１３】
図１及び図２に示すように、本実施形態の防雨ルーバー１０は、枠体１と、枠体１の枠内に互いに上下方向に所定間隔をあけて並べられた複数の羽根体２と、枠体１の下部に設けられた排水部３と、から構成されている。
【００１４】
枠体１は、左右一対の縦枠１１と、一対の縦枠１１同士をその上部及び下部でそれぞれ連結する上下の横枠１２とから構成され、正面視長方形状に形成されている。本実施形態の枠体１は、図３及び図４に示すように、例えば引違い窓Ｗなどの建物の開口部Ｏに取り付け可能に構成されている。
【００１５】
羽根体２は、図２に示すように、その横断面形状が略入字形状に形成されており、屋外側へ傾斜した外側傾斜部２１と、外側傾斜部２１の下部から鉛直下方へ延びる外側垂下部２２と、外側傾斜部２１の上部から上方へ延びる立上部２３と、外側傾斜部２１の上部から下方へ延びて屋内側へ傾斜した内側傾斜部２４と、内側傾斜部２４の下部から下方へ延びる内側垂下部２５と、から構成されている。本実施形態の羽根体２は、透明なアクリル板から成り、採光性に優れている。
【００１６】
各羽根体２は、枠体１の一対の縦枠１１間に横向き状態で架け渡され、上下に並んだ複数の羽根体２同士の間にそれぞれ、屋内外の空気を双方向に流通させるための通気流路４が形成されている。
【００１７】
各通気流路４は、屋外側に位置する外側流路４４と、屋内側に位置する内側流路４５とから構成されている。即ち、上下方向に並ぶ複数の羽根体２のうち、上側の羽根体２の外側垂下部２２の下端部と下側の羽根体２の外側傾斜部２１の上面の中程部との間には、屋外に臨んだ外側通気口４１が形成され、また、上側の羽根体２の外側傾斜部２１の下面の中程部と下側の羽根体２の立上部２３の上端部との間には、中間通気口４２が形成され、そして、上側の羽根体２の内側垂下部２５の下端部と下側の羽根体２の立上部２３の下部との間には、屋内に臨んだ内側通気口４３が形成されている。通気流路４の外側流路４４は、外側通気口４１と中間通気口４２との間に形成され、内側流路４５は、中間通気口４２と内側通気口４３との間に形成されている。
【００１８】
また、外側流路４４は、その外側通気口４１が中間通気口４２よりも下方に位置し、かつ、外側通気口４１の開口面積Ｓ１及び中間通気口４２の開口面積Ｓ２がそれぞれ、外側流路４４の中程部の横断面積Ｓ４よりも小さく形成されている。このことで、屋外から屋内へ向けて外側流路４４を流れる空気は上向きに流れることになり、外側流路４４の外側通気口４１から中程部にかけてその流速が小さくなる。また、内側流路４５は、その内側通気口４３が中間通気口４２よりも下方に位置し、かつ、内側通気口４３の開口面積Ｓ３が、外側通気口４１の開口面積Ｓ１とほぼ同じに形成されている。このことで、屋外から屋内へ向けて内側流路４５を流れる空気は下向きに流れることになる。
【００１９】
また、外側流路４４の外側通気口４１において、羽根体４の外側傾斜部２１の上面には、降雨時の雨滴の衝突を緩衝するための緩衝部５が設けられている。本実施形態の緩衝部５は、いわゆる人工芝シート材等の表面に多数の立毛を有する立毛シート材５１から形成されている。
【００２０】
排水部３は、上記枠体１の下部に設けられ、上記内側流路４５で捕集した雨水を屋外へ排水するためのものである。本実施形態の排水部３は、枠体１の左右一対の縦枠１１の下部と、これら縦枠１１の下部同士を連結する下側の横枠１２と、この横枠１２の屋外側の端部から上方へ延びる外側壁部３１と、この外側壁部３１に設けられた排水孔３２と、同横枠１２の屋内側の端部から上方へ延びる内側壁部３３と、から構成されている。そして、排水部３の内側壁部３３は、羽根体２の内側垂下部２５の下端部よりも屋内側に位置するように設けられている。このことで、内側流路４５で捕集されて内側垂下部２５の下端部から滴下する水滴Ｄを確実に排水部３で受けることができる。
【００２１】
本実施形態の防雨ルーバー１０は、例えば、図３及び図４に示すように、例えば引違い窓Ｗ等の建物の開口部Ｏに取り付けられ、屋外から屋内への雨水等の侵入を防ぎながら、屋外と屋内との間の通気を可能にする。図３及び図４に示すように、引違い窓Ｗの左右一対の引違い戸ｄ・ｄと略同じ正面面積を有する防雨ルーバー１０を、引違い窓Ｗの半面に取り付けることもできる。この場合、図４（ａ）に示すように、一対の引違い戸ｄ及び網戸ｍを、防雨ルーバー１０の固定位置とは反対側に移動させれば、防雨ルーバー１０による防雨・通気が可能となる。そして、このとき、防雨ルーバー１０の反対側に移動させた一対の引違い戸ｄを窓枠に固定するためのロック機構を設ければ、防犯も可能となる。また、図４（ｂ）に示すように、一対の引違い戸ｄ及び網戸ｍを、防雨ルーバー１０の固定位置と同じ側に移動させれば、引違い窓Ｗの半面を全開させることができる。
【００２２】
このように本実施形態の防雨ルーバー１０は、図２に示すように、各通気流路４が外側流路４４と内側流路４５とから成り、この外側流路４４の外側通気口４１が、中間通気口４２よりも下方に位置しているので、風雨時において雨滴Ｒが屋内に侵入するのを確実に防ぐことができる。
【００２３】
しかも、本実施形態の防雨ルーバー１０は、雨滴Ｒが羽根体２に衝突した際に発生する微細な雨水の飛沫Ｍが通気気流に乗って屋内へ侵入するのも効果的に防ぐことができる。即ち、本実施形態の防雨ルーバー１０は、その外側通気口４１が中間通気口４２よりも下方に位置し、かつ、外側通気口４１の開口面積Ｓ１及び中間通気口４２の開口面積Ｓ２がそれぞれ、外側流路４４の中程部の横断面積Ｓ４よりも小さく形成されている。したがって、屋外から屋内へ向けて飛沫Ｍを運ぶ気流は、外側流路４４を上向きに流れ、しかも、その流速が外側通気口４１から外側流路４４の中程部にかけて小さくなるため、大部分の飛沫Ｍを外側流路４４で捕集することができる。外側流路４４で捕集された雨水は、上側の羽根体２の外側傾斜部２１の下面、同じく上側の羽根体２の外側垂下部２２の屋内側の側面、下側の羽根体２の立上部２３の屋外側の側面、及び同じく下側の羽根体２の外側傾斜部２１の上面をそれぞれ伝って、外側通気口４１から屋外へ排水される。
【００２４】
また、本実施形態の防雨ルーバー１０は、通気気流と共に外側流路４４を通過してしまった飛沫Ｍについても、その内側流路４５で捕集することができる。即ち、本実施形態の防雨ルーバー１０は、その内側通気口４３が中間通気口４２よりも下方に位置し、かつ、内側通気口４３の開口面積Ｓ３が、外側通気口４１の開口面積Ｓ１とほぼ同じに形成されている。したがって、屋外から屋内へ向けて飛沫Ｍを運ぶ気流は、内側流路４５を下向きに流れ、殆どの飛沫Ｍが内側流路４５を通過する途中でその流路内面に捕捉され、飛沫Ｍが屋内側へ侵入するのを効果的に防ぐことできる。本実施形態の内側流路４５のように、流路の横断面積に対する流路長の比が大きいほど、より効果的に飛沫を捕集することができる。内側流路４５の通気抵抗等を考慮して種々の設計変更が可能である。
【００２５】
この内側流路４５で捕集された雨水は、上側の羽根体２の内側傾斜部２４の下面、同じく上側の羽根体２の内側垂下部２５の屋外側の側面、及び下側の羽根体２の立上部２３の屋内側の側面をそれぞれ伝って内側通気口４３に至る。そしてさらに、下側の羽根体２の内側傾斜部２４の上面、及び同じく下側の羽根体２の内側垂下部２５の屋内側の側面を伝って、内側垂下部２５の下端部から水滴Ｄとして上記排水部３に落下する。そして、排水部３の排水孔３２を通じて屋外へ排水される。
【００２６】
また、本実施形態の防雨ルーバー１０の内側流路４５は、略鉛直方向に形成されているので、風雨時に外側通気口４１から吹き込んだ風は、外側流路４４を通って内側流路４５の内側通気口４３から略鉛直下方へ吹き出すことになる。したがって、羽根体２の内側垂下部２５に生じた水滴Ｄを略鉛直下方へ吹き落すことができ、この水滴Ｄをその下方の排水部３で確実に受けることができる。
【００２７】
さらに、本実施形態の防雨ルーバー１０は、外側流路４４の外側通気口４１において羽根体２の上面に、雨滴Ｒの衝突を緩衝する緩衝部５が設けられているので、飛沫Ｍの発生それ自体を抑制することができる。このことによっても、飛沫Ｍの屋内への侵入をより効果的に防ぐことができる。
【００２８】
以上、本実施形態の防雨ルーバー１０について説明したが、本発明はその他の形態でも実施することができる。
【００２９】
例えば、上記実施形態では、羽根体２を透明なアクリル板から構成しているが、この羽根体２を、例えばガラス板等の他の透光性材料で構成してもよい。勿論、羽根体２を木材や金属材で形成してもよい。
【００３０】
また、上記実施形態では、緩衝部５を立毛シート材５１で構成しているが、この緩衝部５を、例えば不織布やスポンジ材で形成してもよい。また、羽根体２の外側傾斜部２１の上面に、深さ５ミリ程度の凹凸を密に形成することによって緩衝部を設けるようにしてもよい。
【００３１】
また、本発明はその趣旨を逸脱しない範囲内で、当業者の知識に基づいて種々の改良、修正、変形を加えた態様で実施し得る。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【図面の簡単な説明】
【００３２】
【図１】本実施形態の防雨ルーバーの一部断面斜視図である。
【図２】本実施形態の防雨ルーバーの一部省略断面図である。
【図３】本実施形態の防雨ルーバーを建物の開口部に取り付けた状態を示す正面図である。
【図４】本実施形態の防雨ルーバーを建物の開口部に取り付けた状態を示す断面図である。
【符号の説明】
【００３３】
１０  防雨ルーバー
１  枠体
２  羽根体
３  排水部
４  通気流路
４１  外側通気口
４２  中間通気口
４３  内側通気口
４４  外側流路
４５  内側流路
５  緩衝部
５１  立毛シート材
Ｏ  建物の開口部
Ｓ１  外側通気口の開口面積
Ｓ２  中間通気口の開口面積
Ｓ３  内側通気口の開口面積
Ｓ４  外側流路の中程部の横断面積
Ｒ  雨滴
Ｍ  飛沫
【図１】
2010121274.tif 000003
【図２】
2010121274.tif 000004
【図３】
2010121274.tif 000005
【図４】
2010121274.tif 000006